(57)【特許請求の範囲】
【請求項１】
回転可能なスプレーパイプ（７）や、スプレーパイプ（７）上に固定設置されるシャフトスリーブ（６）およびシャフトスリーブ（６）の前・後に設置される吸気ブレード（４）と霧化ネット（３）を含み、
スプレーパイプ（７）の側壁にはシャフトスリーブ（６）と相対するスプレーホール（１０）が開いており、
シャフトスリーブ（６）の側壁には複数本の斜めの噴霧溝（５）が開いており、
前記シャフトスリーブ（６）の内壁には裏側に凹む霧化キャビティ（８）が設置されており、当該霧化キャビティ（８）はスプレーパイプ（７）のスプレーホール（１０）と相対しており、
前記吸気ブレード（４）は、該吸気ブレード（４）の前記スプレーパイプ（７）の径方向に沿った両端のうち一端が他端より前記霧化ネット（３）に近くなるような方向に、前記スプレーパイプ（７）の軸方向と垂直な平面に対して傾斜しており、
前記吸気ブレード（４）の末端は湾曲されており、その湾曲方向と吸気ブレード（４）の傾斜方向は一致しており、吸気ブレード（４）の末端の湾曲の所と霧化ネット（３）の外縁部分が接続されることを特徴とする排気ガス排出管中に取り付けられる高速遠心霧化攪拌ネット。
【請求項２】
請求項１において、前記霧化ネット（３）の周壁には複数の還気ブレード（２）が設置されており、当該還気ブレード（２）と吸気ブレード（４）との傾斜方向は正反対していることを特徴とする排気ガス排出管中に取り付けられる高速遠心霧化攪拌ネット。
【請求項３】
請求項１又は２において、前記霧化ネット（３）は複数層のディスク状のスチールプレートネットであることを特徴とする排気ガス排出管中に取り付けられる高速遠心霧化攪拌ネット。
【発明の詳細な説明】
【技術分野】
【０００１】
本発明は排気ガス浄化処理装置に関するもので、具体的に言うと、排気ガス排出管中に取り付けられる高速遠心霧化攪拌ネットに関するもので、排気ガスと霧を十分混合させることができ、排気ガス中の有毒物質と煙・粉塵が速やかに霧の中に混入させると同時に、排気ガスを熱量を低下させることもできる。
【背景技術】
【０００２】
工業の発展に伴い、排気ガスの排出量は日に日に増える一方で、人々の正常的な生活に厳重な影響を与えている。そのため、排気ガス処理装置は益々注目されるようになっている。既存の排気ガス処理装置は主に排気ガスに水滴を吹きかけることによって、排気ガス中の有毒物質と煙・粉塵を水滴の中に混入させて、空気と分離させるが、このような装置の難題としては、如何に霧化の効果を高めて、排気ガスと水の接触面積をなるべく増やして、有毒物質と煙・粉塵を水と十分混合させるということである。本人より２００９年１２月１１日に出願された、出願番号：「ＺＬ２００９２０２０２３１３．Ｘ」の「高速遠心霧化ブレード」には、給水管を繋ぐシャフトスリーブとシャフトスリーブ上に取り付けられる複数の斜めのブレードが含まれており、前記シャフトスリーブの側壁には斜めの遠心出水溝が開いており、当該出水溝は二つの隣接ブレードの間に位置している。前記シャフトスリーブの先端にはリング形のストッププレートが取り付けられており、当該ストッププレート上には複数の遠心出水孔が均一に分布されている。シャフトスリーブのフロントにはブレードと固定されるネットカバーが設置されており、ネットカバーの裏側には複数層のネットプレーとが設置されている。このような従来の構造の欠点は、大部の排気ガスの滓がパイプの内壁にくっついて、霧化ネットを経過せず、直接排出されるため、排気ガスが霧と十分接触することができなく、ろ過の効果が悪くなる。
【発明の概要】
【発明が解決しようとする課題】
【０００３】
本発明の目的は、上記既存技術に存在する欠点を克服して、人々に排気ガスが霧化ネットを経過せず直接排出されることを防ぐことができ、排気ガスと霧が十分接触できる高速遠心霧化攪拌ネット提供することである。
【課題を解決するための手段】
【０００４】
上記目的を実現するために、本発明では次の技術ソリューションを導入する。排気ガス排出管に使われる高速遠心霧化攪拌ネットには、回転可能なスプレーパイプや、スプレーパイプ上に固定設置されるシャフトスリーブおよびシャフトスリーブの前・後に設置される吸気ブレードと霧化ネットが含まれており、スプレーパイプの側壁にはシャフトスリーブと相対するスプレーホールが開いており、シャフトスリーブの側壁には数本の斜めの噴霧溝が開いており、前記吸気ブレードの末端は湾曲されており、その湾曲方向と吸気ブレードの傾斜方向は一致しており、吸気ブレードの末端の湾曲の所と霧化ネットの外縁部分が接続される。
【０００５】
前記シャフトスリーブの内壁には裏側に凹む霧化キャビティが設置されており、当該霧化キャビティとスプレーパイプのスプレーホールは相対している。
【０００６】
前記霧化ネットの周壁には複数枚の還気ブレードが設置されており、当該還気ブレードと吸気ブレードの傾斜方向は正反対している。
【０００７】
前記霧化ネットは複数層のスチールプレートネットである。
【発明の効果】
【０００８】
本発明は主に排気ガス排出管の中に取り付けられ、スプレーパイプのスプレーホールから噴出される水が霧化キャビティの中で初歩的に霧化され、数本の傾斜の噴霧溝から噴出され、噴出された霧は高速吸気の作用によって、シャフトスリーブの外壁に沿って、高速に回転される霧化ネットによって、さらに細かい顆粒につぶして、パイプの横断面にて霧の壁を形成し、排気ガス中の有毒物質と煙・粉塵を速やかに霧の中に混入させると同時に、排気ガスの熱量を低下させることもできる。また、当該装置はパイプの壁に吹かれる気流を遮ることができ、霧化ネット側壁の還気ブレードはパイプ内壁に近づく気流を吸い戻して、排気ガスを中心の霧化ネットに導入させてろ過することによって、排気ガスが霧化ネットを経過せず、パイプの内壁に沿って直接通される難題を解決し、排気ガスと霧を十分接触させることによって、理想的な排気ガス浄化効果が得られる。
【図面の簡単な説明】
【０００９】
【図１】本発明の構造見取図である。
【図２】図１のＡ方向側面図である。
【発明を実施するための形態】
【００１０】
図１、図２のとおり、本発明は排ガス排出管中に取り付けられる高速遠心霧化攪拌ネットに関するもので、中には、回転可能なスプレーパイプ７や、スプレーパイプ７上に固定設置されるシャフトスリーブ６およびシャフトスリーブ６の前・後に設置される吸気ブレード４と霧化ネット３が含まれる。
【００１１】
前記スプレーパイプ７はモータによって駆動されて高速に回転し、シャフトスリーブ６はスクリュー９によってスプレーパイプ７と接続されるので、シャフトスリーブ６や、吸気ブレード４、霧化ネット３は、スプレーパイプ７と同時に高速に回転される。スプレーパイプ７の側壁にはスプレーホール１０が開いており、前記シャフトスリーブ６の内壁には裏側に凹む霧化キャビティ８が設置されており、当該霧化キャビティ８はスプレーパイプ７のスプレーホール１０と相対しており、シャフトスリーブ６の側壁には数本の斜めの噴霧溝５が開いている。
【００１２】
スプレーパイプ７のスプレーホール１０から噴出される水は、霧化キャビティ８の中で繰り返して衝突されてから、数本の斜めの噴霧溝５より噴出され、高速吸気の作用によってシャフトスリーブ６の外壁に沿って高速に回転する霧化ネット３に触れて、高速遠心の攪拌式霧の壁を形成する。
【００１３】
前記吸気ブレード４はシャフトスリーブの前端に設置されており、吸気ブレード４の回転は排気ガスと斜めの噴霧溝５より噴出される初歩的に霧化された霧の流動を加速化させる。
【００１４】
前記霧化ネット３は複数層のディスク状のスチールプレートネットであり、吸気ブレード４の後ろ側に位置され、高速に回転される霧化ネット３は霧をさらに細かい顆粒につぶして、パイプの横断面にて霧の壁を形成する。排気ガスが高速に回転する霧の壁を通る場合、排気ガス中の有毒物質と煙・粉塵を速やかに霧の中に混入させると同時に、排気ガスの熱量を低下させることができる。
【００１５】
前記吸気ブレード４の末端は湾曲されており、その湾曲方向と吸気ブレード４の傾斜方向は一致しており、吸気ブレード４の末端の湾曲の所と霧化ネット３の外縁部分が接続される。
【００１６】
これにより、パイプの壁に吹かれる大部の気流を遮り、排気ガスを中心の霧化ネットに導入してろ過を行い、気流が霧の壁を経過せず直接排出されることを防止する。
【００１７】
前記霧化ネット３の周壁には複数の還気ブレード２が設置されており、当該還気ブレード２と吸気ブレード４の傾斜方向は正反対している。還気ブレード２はパイプ内壁の近づく気流を吸い戻すとともに、排気ガスを霧化ネットによって形成される霧の壁と十分接触させることによって、理想的な排気ガス浄化効果が得られる。
【図１】
0005524142.tif 000002
【図２】
0005524142.tif 000003